(57)【特許請求の範囲】
【請求項１】
電子管楽器の内部に設けられた消毒用部品と、
予め決められた条件に基づいて、前記消毒用部品による前記電子管楽器の内部を消毒する動作を実行させる制御部と、
を具備する電子管楽器。
【請求項２】
前記制御部は、演奏時間に基づいて、前記消毒用部品による前記電子管楽器の内部を消毒する動作を実行させる、
請求項１に記載の電子管楽器。
【請求項３】
前記制御部は、前記電子管楽器の内部に吹き込まれる息の息圧を検出する息圧検出センサ、または前記電子管楽器の吹き口の内部と前記電子管楽器本体内部の温度差を検出する温度差検出センサ、の検出結果に基づいて前記電子管楽器の内部を消毒する動作を実行させる、
請求項１または２に記載の電子管楽器。
【請求項４】
前記制御部は、前記息圧検出センサ、及び前記温度差検出センサ夫々の、演奏中の検出結果に基づいて、前記電子管楽器の内部を消毒する動作を実行させる、
請求項３に記載の電子管楽器。
【請求項５】
前記電子管楽器はさらに、消毒時間算出部を有し、
前記消毒時間算出部は、
前記電子管楽器の吹き口に息が吹き込まれていない時間を累算するとともに、その累算した時間に基づいて第１の消毒時間を取得する第１の取得部と、
前記吹き口に息が吹き込まれた時間を累算するとともに、その累算した時間に基づいて第２の消毒時間を取得する第２の取得部と、
前記吹き口の内部と前記電子管楽器本体の内部の温度差がある時間を累算するとともに、その累算した時間に基づいて第３の消毒時間を取得する第３の取得手部と、
前記第１乃至第３の取得手段により取得された第１乃至第３の消毒時間を加算して全体の消毒時間を算出する算出部と
を具備することを特徴とする請求項１乃至４のいずれかに記載の電子管楽器。
【請求項６】
前記消毒用部品は、消毒用の光を発光する消毒用発光素子であり、
前記制御部は、前記電子管楽器の内部を消毒する動作として、前記消毒用発光素子を点灯駆動させる、
請求項１乃至５のいずれかに記載の電子管楽器。
【請求項７】
前記駆動部は、演奏時間終了後に前記消毒用発光素子を点灯駆動させることを特徴とする請求項６に記載の電子管楽器。
【請求項８】
前記消毒用発光素子は紫外線発光素子であることを特徴とする請求項６または７に記載の電子管楽器。
【請求項９】
電子管楽器の内部に設けた消毒用部品を有する電子管楽器が、
予め決められた条件に基づいて、前記消毒用部品による前記電子管楽器の内部を消毒する動作を実行させる、消毒方法。
【請求項１０】
コンピュータに、
演奏時間に基づいて、電子管楽器の内部に設けた消毒用部品による前記電子管楽器の内部を消毒する動作を実行させるプログラム。
【発明の詳細な説明】
【技術分野】
【０００１】
本発明は、自動的にマウスピース内部を消毒浄化する電子管楽器、消毒方法、およびプログラムに関する。
【背景技術】
【０００２】
一般に電子管楽器では、アコースティック管楽器と同様のキー位置に音高指定用のスイッチを設けておき、そのスイッチ操作によって楽音の音高を指定すると共に、マウスピース内に息圧を検出する圧力センサを設け、この圧力センサにより検出される息圧に応じて楽音の音量を決定するように構成されている。
【０００３】
この種の楽器として、例えば特許文献１には、マウスピースに接触するユーザの上唇および下唇の位置を検出し、検出した上唇位置および下唇位置に応じて生成されるパラメータに従って楽音形成することで例えばユーザの頬や咽の動きに従って発生楽音の音色を制御する技術が開示されている。
【先行技術文献】
【特許文献】
【０００４】
【特許文献１】特開２０００−１２２６４１号公報
【発明の概要】
【発明が解決しようとする課題】
【０００５】
ところで、電子管楽器では、アコースティック管楽器と同様に、マウスピースを咥えて息を吹き込む吹奏動作が為される為、必然的に吹奏者の口腔内で分泌された唾液が当該マウスピースの内部に停留する。マウスピースの内部に停留する唾液は、口腔内常在菌のみならず各種雑菌を含むことから、そのまま放置しておくと人体に有害な病原菌の増殖を招いたり腐敗臭を醸し出したりする等、不浄に成り易い。そのため、従来では、ユーザ（吹奏者）が演奏完了後に本体からマウスピースを取り外してその内部を拭き取る等の清掃を行うだけであり、演奏完了後に自動的にマウスピース内部を消毒浄化することが出来ないという問題がある。
【０００６】
本発明は、このような事情に鑑みてなされたもので、自動的にマウスピース内部を消毒浄化することが出来る電子管楽器、消毒方法およびプログラムを提供することを目的としている。
【課題を解決するための手段】
【０００７】
本発明の電子管楽器は、電子管楽器の内部に設けられた消毒用部品と、予め決められた条件に基づいて、前記消毒用部品による前記電子管楽器の内部を消毒する動作を実行させる制御部と、を具備することを特徴とする。
【０００８】
本発明の消毒方法は、電子管楽器の内部に設けた消毒用部品を有する電子管楽器が、予め決められた条件に基づいて、前記消毒用部品による前記電子管楽器の内部を消毒する動作を実行させる、ことを特徴とする。
【０００９】
本発明のプログラムは、コンピュータに、演奏時間に基づいて、電子管楽器の内部に設けた消毒用部品による前記電子管楽器の内部を消毒する動作を実行させることを特徴とする。
【発明の効果】
【００１０】
本発明では、演奏完了後に自動的にマウスピース内部を消毒浄化することが出来る。
【図面の簡単な説明】
【００１１】
【図１】本発明の一実施形態である電子管楽器の要部構造を示す縦断面図および側断面図である。
【図２】本発明の一実施形態である電子管楽器１００の電気的構成を示すブロック図である。
【図３】ＣＰＵ１７が実行するメインルーチンの動作を示すフローチャートである。
【図４】ＣＰＵ１７が実行する状態記録処理の動作を示すフローチャートである。
【図５】ＣＰＵ１７が実行する消毒時間算出処理の動作を示すフローチャートである。
【図６】息圧データＤｐを記録する動作の一例を示すグラフである。
【図７】温度差データΔＴＭを記録する動作の一例を示すグラフである。
【発明を実施するための形態】
【００１２】
以下、図面を参照して本発明の実施形態について説明する。
Ａ．構造
先ず図１を参照して本発明の一実施形態である電子管楽器の要部構造について説明する。図１は、電子管楽器の本体Ｔの基端部およびマウスピースＭＰの構造を示す縦断面図（図１（ａ））および側断面図（図１（ｂ））である。
【００１３】
マウスピースＭＰは、一方に矩形状の開口部となる吹き口Ｆを有し、他方が電子管楽器の本体Ｔの基端部に設けられた隔壁Ｋに嵌着される一体構造を有する。本体Ｔの基端部に設けられた隔壁Ｋには、一端がマウスピースＭＰの内部に連通する接続管および排気管が設けられる。接続管の他端は、本体Ｔ側に配設される圧力センサ１０に連通する。排気管の他端は、本体Ｔ側に設けられる排気口に接続される。圧力センサ１０は、例えばピエゾ素子などの圧電素子を用い、吹奏時に上記マウスピースＭＰの吹き口Ｆから吹き込まれる息圧を検出する。
【００１４】
本体Ｔの基端部に設けられた隔壁Ｋには、マウスピースＭＰの内部に向けて紫外線を照射する消毒用発光素子２２が配設される。消毒用発光素子２２は、例えば、紫外線ＬＥＤであり、消毒作用が強い紫外領域の波長（例えば２５３．７ｎｍ）を含む紫外光を発光する。消毒用発光素子２２は、マウスピースＭＰの内部に向けて紫外線を照射するよう基端部の隔壁Ｋに配設される。消毒用発光素子２２の照射効率を向上させる為にマウスピースＭＰの内部を鏡面加工しておくことが好ましい。
【００１５】
なお、ここで言う鏡面加工とは、例えば硬質樹脂材で一体形成されたマウスピースＭＰの内部に、例えばアルミ蒸着した後、抗菌性を有する透明フィルムをコーティングする等の態様を指す。また、加えて隔壁Ｋに反射板を設け、これにより消毒用発光素子２２が発光する紫外線を前方のマウスピースＭＰの内部へ反射させて照射効率の向上を図ることも可能である。
【００１６】
本体Ｔの基端部に設けられた隔壁Ｋには、マウスピースＭＰの内部の温度を検出する温度センサ１１が設けられる。また、本体Ｔ側には、本体Ｔの内部の温度を検出する温度センサ１２が設けられる。温度センサ１１，１２には、例えば半導体温度センサ（ＩＣ温度センサ）を用いる。後述するように、本実施形態では、温度センサ１１により検出されるマウスピースＭＰの内部の温度と、温度センサ１２により検出される本体Ｔの内部の温度との差から「サブトーン」奏法が行われたか否かを判別するようになっている。
【００１７】
Ｂ．構成
次に、図２を参照して本発明の一実施形態による電子管楽器１００の構成について説明する。図２は、電子管楽器１００の電気的構成を示すブロック図である。図２において、圧力センサ１０は、マウスピースＭＰの吹き口Ｆから吹き込まれる息圧を検出して息圧信号を出力する。温度センサ１１は、マウスピースＭＰの内部の温度を検出して第１の温度信号を出力する。温度センサ１２は、本体Ｔの内部の温度を検出して第２の温度信号を出力する。
【００１８】
Ａ／Ｄ変換部１３は、上記圧力センサ１０から出力される息圧信号、温度センサ１１から出力される第１の温度信号および温度センサ１２から出力される第２の温度信号を、それぞれレベル増幅した後、ＣＰＵ１７の制御の下に、時分割にＡ／Ｄ変換して息圧データＤｐ、第１の温度データＴＭ１および第２の温度データＴＭ２を発生する。このＡ／Ｄ変換部１３が出力する息圧データＤｐ、第１の温度データＴＭ１および第２の温度データＴＭ２は、ＣＰＵ１７の制御の下に、ＲＡＭ１９のバッファエリアに一時記憶される。
【００１９】
タイマ１４は、システムクロックを分周して各種クロック（タイマ割り込み用クロックや計時用のリアルタイムクロック）を発生する。スイッチ部１５は、図示していないが、本体Ｔに配設され、電源をパワーオン／パワーオフするメインスイッチや、演奏の開始時にオン操作され、演奏の終了時にオフ操作される演奏スイッチの他、発生楽音の音色を選択したりエフェクト種を設定したりする各種スイッチを有し、これらスイッチの操作に応じたスイッチイベントを発生する。このスイッチ部１５が発生するスイッチイベントは、ＣＰＵ１７に取り込まれる。操作子群１６は、本体Ｔに複数の操作子が配置され、ユーザの運指で指定される音高データを発生する。
【００２０】
ＣＰＵ１７は、スイッチ部１５が発生する各種スイッチイベントに基づき楽器各部の動作状態を設定する他、操作子群１６の複数の操作子運指で指定される音高データと、上述した息圧データＤｐに応じたベロシティ（音量データ）とを含むノートオン／ノートオフイベントを発生して楽音発生部２０に供給して楽音の発音・消音を指示する。
【００２１】
また、ＣＰＵ１７は、第１の温度データＴＭ１と第２の温度データＴＭ２との差分である温度差データΔＴＭが所定レベルを超えた場合に、「サブトーン奏法」と呼ばれる特殊な奏法が行われたと見做し、発生中の楽音をかすれたサブトーン音色に変更するよう楽音発生部２０（音源２０ａ）に指示する。さらに本発明の要旨に係るＣＰＵ１７の特徴的な処理動作については追って詳述する。
【００２２】
ＲＯＭ１８には、上記ＣＰＵ１７にロードされる各種プログラムデータが記憶される他、照射時間テーブルＴＢＬ１、ＴＢＬ２およびＴＢＬ３が記憶される。照射時間テーブルＴＢＬ１は、息圧データＤｐが「０」となる時間を累算した累算時間Ｔσに対応付けられた照射時間ＴＲ１を読み出すデータテーブルである。照射時間ＴＲ１は、累算時間Ｔσで増殖した菌の消毒線量に必要な照射時間であり、予め実験的に得られる値である。
【００２３】
照射時間テーブルＴＢＬ２は、積分値ΣＤｐ（後述する）に対応付けられた照射時間ＴＲ２を読み出すデータテーブルである。照射時間ＴＲ２は、積分値ΣＤｐで表される状態で増殖した菌の消毒線量に必要な照射時間であり、予め実験的に得られる値である。積分値ΣＤｐが意図するところについては追って述べる。
【００２４】
照射時間テーブルＴＢＬ３は、積分値ΣΔＴＭ（後述する）に対応付けられた照射時間ＴＲ３を読み出すデータテーブルである。照射時間ＴＲ３は、積分値ΣＤｐで表される状態で増殖した菌の消毒線量に必要な照射時間であり、予め実験的に得られる値である。積分値ΣΔＴＭが意図するところについては追って述べる。
【００２５】
ＲＡＭ１９は、ワークエリア、バッファエリアおよびデータエリアを備える。ＲＡＭ１９のワークエリアは、ＣＰＵ１７の作業領域として用いられ、各種レジスタ・フラグが一時記憶される。なお、このワークエリアには、タイマ割り込みのタイミングを計時するタイマカウンタや、演奏の開始から終了までの演奏時間ｔを計時する演奏カウンタ、消毒用発光素子２２の点灯時間を計時する点灯時間カウンタが設けられる。
【００２６】
ＲＡＭ１９のバッファエリアは、ＣＰＵ１７が指示する循環アドレスに従ってリングバッファとして用いられ、上述したＡ／Ｄ変換部１３から出力される息圧データＤｐ、第１の温度データＴＭ１および第２の温度データＴＭ２を順次取り込む。ＲＡＭ１９のデータエリアには、上記バッファエリアに取り込まれた一連の息圧データＤｐ、第１の温度データＴＭ１および第２の温度データＴＭ２の内、演奏時間ｔに対応するデータ組が演奏状態を表すデータとして記録される。
【００２７】
具体的には、演奏時間ｔで取得された息圧データＤｐを（演奏時間ｔ，息圧データＤｐ）の組として状態記録すると共に、演奏時間ｔで取得された第１の温度データＴＭ１と第２の温度データＴＭ２との差分ΔＴＭを（演奏時間ｔ，温度差データΔＴＭ）の組として状態記録する。
【００２８】
楽音発生部２０は、音源２０ａおよびサウンドシステム２０ｂから構成される。音源２０ａは、周知の波形メモリ読み出し方式にて構成される複数の発音チャンネル（ＭＩＤＩチャンネル）を備え、ＣＰＵ１７から供給されるノートオン／ノートオフイベントに従って楽音波形データＷを発生する。
【００２９】
サウンドシステム２０ｂは、音源２０ａから出力される楽音波形データＷをアナログ形式の楽音信号に変換し、当該楽音信号から不要ノイズを除去する等のフィルタリングを施した後、これを増幅してスピーカから放音させる。ドライバ２１は、ＣＰＵ１７からの駆動指示に応じて消毒用発光素子２２を点灯駆動させ、マウスピースＭＰの内部に紫外線を照射して消毒浄化する。
【００３０】
Ｃ．動作
次に、図３〜図７を参照して、上述した電子管楽器１００のＣＰＵ１７が実行するメインルーチン、タイマ割り込みで起動される状態記録処理および当該メインルーチンからコールされる消毒時間算出処理の各動作について説明する。なお、ことわりが無い限りこれら各処理の動作の主体はＣＰＵ１７である。
【００３１】
（１）メインルーチンの動作
図３は、ＣＰＵ１７が実行するメインルーチンの動作を示すフローチャートである。ユーザがメインスイッチを操作して電源をパワーオンすると、ＣＰＵ１７は図３に図示する本ルーチンを実行してステップＳＡ１に処理を進め、電子管楽器１００の各部を初期化するイニシャライズを行う。イニシャライズが完了すると、ステップＳＡ２に進み、演奏スイッチがオン操作されるまで待機する。
【００３２】
そして、ユーザが演奏スイッチをオン操作すると、上記ステップＳＡ２の判断結果は「ＹＥＳ」になり、ステップＳＡ３に進む。ステップＳＡ３では、タイマ割り込み禁止を解除してタイマカウンタをスタートさせると共に、演奏時間を計時する演奏カウンタをスタートさせる。なお、タイマ割り込みの禁止が解除されると、後述する状態記録処理（図４参照）が所定周期毎に割り込み実行される。
【００３３】
続いて、ステップＳＡ４では、操作子群１６の複数の操作子の運指で指定される音高データと、息圧データＤｐに応じたベロシティ（音量データ）とを含むノートオン／ノートオフイベントを発生したり、温度差データΔＴＭが所定レベルを超えた場合にサブトーン音色の変更を指示したりする演奏データ作成処理を実行する。そして、ステップＳＡ５では、上記ステップＳＡ４にて作成した演奏データ（ノートオン／ノートオフイベント）を楽音発生部２０の音源２０ａに供給して楽音を発生させる楽音発生処理を実行する。
【００３４】
次いで、ステップＳＡ６では、演奏スイッチのオフ操作の有無を判断する。演奏スイッチがオン操作されたままであれば、判断結果は「ＮＯ」になり、上記ステップＳＡ４に処理を戻す。以後、演奏スイッチがオフ操作されるまでの間、上記ステップＳＡ４〜ＳＡ６を繰り返すことによって、演奏操作に応じた楽音を発生させる演奏動作が進行する。
【００３５】
そして、ユーザが演奏動作中に演奏スイッチをオフ操作したとする。そうすると、上記ステップＳＡ６の判断結果は「ＹＥＳ」になり、ステップＳＡ７に進み、タイマ割り込みを禁止してタイマカウンタをストップさせると共に、演奏時間を計時する演奏カウンタをストップさせる。なお、タイマ割り込みが禁止されると、後述する状態記録処理（図４参照）が停止する。
【００３６】
次に、ステップＳＡ８では、楽音発生部２０の機能を停止させ、続くステップＳＡ９では、消毒時間算出処理を実行する。消毒時間算出処理では、後述するように、状態記録処理にて記録された演奏状態に基づき「マウスピースＭＰに息が吹き込まれていない状態で増殖した菌の消毒線量を得るのに必要な照射時間ＴＲ１」と、「マウスピースＭＰに息が吹き込まれた状態で増殖した菌の消毒線量を得るのに必要な照射時間ＴＲ２」と、「マウスピースＭＰの内部と本体１の内部との温度差がある状態で増殖した菌の消毒線量を得るのに必要な照射時間ＴＲ３」とを取得し、これら照射時間ＴＲ１〜ＴＲ３を加算して消毒時間Ｔｓｔｒを算出する。
【００３７】
そして、ステップＳＡ１０では、ドライバ２１に駆動開始を指示して消毒用発光素子２２を点灯させ、続くステップＳＡ１１では、点灯時間カウンタをスタートさせる。次いで、ステップＳＡ１２では、消毒用発光素子２２の点灯時間、すなわち点灯時間カウンタで計時される時間が、上記ステップＳＡ９で算出した消毒時間Ｔｓｔｒを超えるまで待機する。そして、消毒用発光素子２２の点灯時間が消毒時間Ｔｓｔｒを超えると、ステップＳＡ１２の判断結果は「ＹＥＳ」になり、ステップＳＡ１３に進む。
【００３８】
こうして、消毒用発光素子２２の点灯時間が消毒時間Ｔｓｔｒを超えてステップＳＡ１３に進むと、ドライバ２１に駆動停止を指示して消毒用発光素子２２を消灯させた後、ステップＳＡ１４では、点灯時間カウンタを停止させると共に、当該カウンタをゼロリセットさせる。この後、ステップＳＡ１５に進み、自身（ＣＰＵ１７）をイベント待ちのスリープ状態に設定して本処理を終える。
【００３９】
（２）状態記録処理の動作
次に、図４を参照して状態記録処理の動作を説明する。図４は、ＣＰＵ１７が実行する状態記録処理の動作を示すフローチャートである。本処理は、上述したメインルーチンのステップＳＡ３（図３参照）においてタイマ割り込みの禁止が解除されると、所定周期毎に割り込み実行される。
【００４０】
割り込み実行タイミングになると、図４に図示するステップＳＢ１に進み、ＲＡＭ１９のバッファエリアに取り込まれた一連の息圧データＤｐ、第１の温度データＴＭ１および第２の温度データＴＭ２の内、演奏時間ｔで取得された息圧データＤｐを（演奏時間ｔ，息圧データＤｐ）としてＲＡＭ１９のデータエリアに記録する。そして、ステップＳＢ２では、演奏時間ｔで取得された第１の温度データＴＭ１と第２の温度データＴＭ２との差分ΔＴＭを（演奏時間ｔ，温度差データΔＴＭ）としてＲＡＭ１９のデータエリアに記録する。
【００４１】
このように、状態記録処理では、演奏時間ｔに同期した形で演奏の状態、すなわちマウスピースＭＰに吹き込まれる息圧データＤｐと、マウスピースＭＰの内部と本体Ｔの内部との温度差データΔＴＭを時系列に記録する。そして、上述したメインルーチンのステップＳＡ７（図３参照）のタイマ割り込み禁止により本処理が停止するようになっている。
【００４２】
（３）消毒時間算出処理の動作
次に、図５を参照して消毒時間算出処理の動作について説明する。図５は、ＣＰＵ１７が実行する状態記録処理の動作を示すフローチャートである。前述したメインルーチンのステップＳＡ９（図３参照）を介して本処理が実行されると、ＣＰＵ１７は図５に図示するステップＳＣ１に進む。
【００４３】
ステップＳＣ１では、ＲＡＭ１９のデータエリアに記録された（演奏時間ｔ，息圧データＤｐ）の内から息圧データＤｐが「０」の累算時間Ｔσ、つまりマウスピースＭＰに息が吹き込まれていない時間の総和を抽出する。例えば、ＲＡＭ１９のデータエリアに記録された（演奏時間ｔ，息圧データＤｐ）が図６に図示する一例のような場合であれば、息圧データＤｐが「０」の累算時間Ｔσはｔ１＋ｔ２＋ｔ３＋ｔ４となる。続いて、ステップＳＣ２では、ＲＯＭ１８に記憶される照射時間テーブルＴＢＬ１から累算時間Ｔσに対応付けられた照射時間ＴＲ１を読み出す。照射時間ＴＲ１は、累算時間Ｔσで増殖した菌の消毒線量に必要な照射時間である。
【００４４】
次に、ステップＳＣ３では、ＲＡＭ１９のデータエリアに記録された（演奏時間ｔ，息圧データＤｐ）に基づき積分値ΣＤｐ、すなわち図６に図示する一例の場合、グラフの面積ＰＳ１＋面積ＰＳ２＋面積ＰＳ３を算出する。そして、ステップＳＣ４では、ＲＯＭ１８に記憶される照射時間テーブルＴＢＬ２から積分値ΣＤｐに対応付けられた照射時間ＴＲ２を読み出す。照射時間ＴＲ２は、積分値ΣＤｐで表される状態で増殖した菌の消毒線量に必要な照射時間である。
【００４５】
続いて、ステップＳＣ５では、ＲＡＭ１９のデータエリアに記録された（演奏時間ｔ，温度差データΔＴＭ）に基づき積分値ΣΔＴＭ、すなわち図７に図示する一例の場合、グラフの面積ＴＳを算出する。なお、図７に図示した一例において、温度差データΔＴＭが通常よりも大きい領域が存在するが、これは「サブトーン奏法」と呼ばれる特殊な奏法が行われた状態を表している。「サブトーン奏法」は、弱く温かい息を吹き込むことで意図的にかすれた音を出す奏法であり、こうした奏法が行われると、マウスピースＭＰの内部の温度が通常よりも高くなり、結果的に菌が増殖し易い環境になる。
【００４６】
続くステップＳＣ６では、ＲＯＭ１８に記憶される照射時間テーブルＴＢＬ３から積分値ΣΔＴＭに対応付けられた照射時間ＴＲ３を読み出す。照射時間ＴＲ３は、積分値ΣＤｐで表される状態で増殖した菌の消毒線量に必要な照射時間である。そして、ステップＳＣ７に進み、上記ステップＳＣ２で取得した照射時間ＴＲ１と、上記ステップＳＣ４で取得した照射時間ＴＲ２と、上記ステップＳＣ６で取得した照射時間ＴＲ３とを加算して消毒時間Ｔｓｔｒを算出して本処理を終える。
【００４７】
このように、消毒時間算出処理では、状態記録処理により記録された演奏中の状態に基づきマウスピースＭＰに息が吹き込まれていない状態で増殖した菌の消毒線量を得るのに必要な照射時間ＴＲ１と、マウスピースＭＰに息が吹き込まれた状態で増殖した菌の消毒線量を得るのに必要な照射時間ＴＲ２と、マウスピースＭＰの内部と本体１の内部との温度差がある状態で増殖した菌の消毒線量を得るのに必要な照射時間ＴＲ３とを取得し、これら照射時間ＴＲ１〜ＴＲ３を加算することで全体の消毒時間Ｔｓｔｒを算出する。
【００４８】
以上説明したように、本実施形態では、演奏スイッチをオン操作してからオフ操作するまでの間、演奏中の状態を記録しておき、演奏完了後に記録した状態から消毒線量を得るのに必要な消毒時間を算出し、算出した消毒時間分マウスピースＭＰ内部に配設した消毒用発光素子２２を点灯駆動するので、演奏完了後に自動的にマウスピース内部を消毒浄化することが出来る。
【００４９】
なお、上述した実施形態では、サブトーン奏法を識別する為にマウスピースＭＰの内部と本体１の内部との温度差ΔＴＭを記録する態様としたが、これに限らず、マウスピースＭＰの内部の温度および湿度を記録しておき、それによって当該マウスピース内部において演奏中に増殖する菌の消毒線量を得るのに必要な照射時間を取得する態様としても構わない。
【００５０】
また、上述した実施形態では、消毒時間算出処理において、サブトーン奏法を考慮して菌の消毒線量に必要な照射時間を求めたが（図５のＳＣ５、ＳＣ６）、この処理は常に行わなくても良い。例えば、温度差データΔＴＭが所定値以上になったら行うようにしてもよいし、所定値以上の温度差データΔＴＭが検出された以降の積分値ΣΔＴＭを求めても良い。
【００５１】
なお、上述した実施形態では、紫外線を照射する紫外線ＬＥＤを用いる態様としたが、これに限られず、例えば、パルス光等の他の発光素子であってもよい。
【００５２】
なお、上述した実施形態では、演奏終了後に消毒用発光素子２２を点灯させることとしているが、演奏の最中で点灯させてもよい。例えば、演奏時間を所定時間と定めて（例えば、３０分間）、演奏時間の終了後の点灯の最中に、次の演奏が開始されても、点灯させたままでよい。点灯させながら、次の演奏時間（３０分間）の演奏状態を記録し、更に、当該演奏時間経過後に消毒用発光素子２２を点灯させるようしにてもよい。
【００５３】
以上、本発明の実施形態について説明したが、本発明はそれに限定されるものではなく、本願出願の特許請求の範囲に記載された発明とその均等の範囲に含まれる。
【００５４】
以下では、本願出願当初の特許請求の範囲に記載された各発明について付記する。
（付記）
［請求項１］
電子管楽器の内部に設けた消毒用発光素子と、
演奏時間に基づいて、前記消毒用発光素子を点灯駆動させる駆動部と、
を具備することを特徴とする電子管楽器。
【００５５】
［請求項２］
前記駆動部は、前記電子管楽器の内部に吹き込まれる息の息圧を検出する息圧検出センサ、及び前記電子管楽器の吹き口の内部と前記電子管楽器本体内部の温度差を検出する温度差検出センサ夫々の、前記演奏時間の間の検出結果に基づいて、前記消毒用発光素子を点灯駆動させることを特徴とする請求項１記載の電子管楽器。
【００５６】
［請求項３］
前記電子管楽器はさらに、消毒時間算出部を有し、
前記消毒時間算出部は、
前記電子管楽器の吹き口に息が吹き込まれていない時間を累算するとともに、その累算した時間に基づいて第１の照射時間を取得する第１の取得部と、
前記吹き口に息が吹き込まれた時間を累算するとともに、その累算した時間に基づいて第２の照射時間を取得する第２の取得部と、
前記吹き口の内部と前記電子管楽器本体の内部の温度差がある時間を累算するとともに、その累算した時間に基づいて第３の照射時間を取得する第３の取得手部と、
前記第１乃至第３の取得手段により取得された第１乃至第３の照射時間を加算して消毒時間を算出する算出部と
を具備することを特徴とする請求項１または２に記載の電子管楽器。
【００５７】
［請求項４］
前記駆動部は、演奏時間終了後に前記消毒用発光素子を点灯駆動させることを特徴とする請求項１乃至３に記載の電子管楽器。
【００５８】
［請求項５］
前記消毒用発光素子は紫外線発光素子であることを特徴とする請求項１乃至４に記載の電子管楽器。
【００５９】
［請求項６］
電子管楽器の内部に設けた消毒用発光素子を有する電子管楽器に、
演奏時間に基づいて、前記消毒用発光素子を点灯駆動させる、消毒方法。
【００６０】
［請求項７］
電子管楽器の内部に設けた消毒用発光素子を有する電子管楽器としてコンピュータに、
演奏時間に基づいて、前記消毒用発光素子を点灯駆動させるステップを実行させるプログラム。
【符号の説明】
【００６１】
１０…圧力センサ
１１，１２…温度センサ
１３…Ａ／Ｄ変換部
１４…タイマ
１５…スイッチ部
１６…操作子群
１７…ＣＰＵ
１８…ＲＯＭ
１９…ＲＡＭ
２０…楽音発生部
２０ａ…音源
２０ｂ…サウンドシステム
２１…ドライバ
２２…消毒用発光素子
１００…電子管楽器
ＭＰ…マウスピース
Ｔ…本体
【図１】
0006443744.tif 000002
【図２】
0006443744.tif 000003
【図３】
0006443744.tif 000004
【図４】
0006443744.tif 000005
【図５】
0006443744.tif 000006
【図６】
0006443744.tif 000007
【図７】
0006443744.tif 000008